(57)【要約】      （修正有）【課題】静圧特性及び風量特性が優れ、かつ騒音も小さい遠心ファンを提供する。【解決手段】遠心ファンは、ロータを有するモータと、前記ロータに固定され、前記ロータと共に回転するインペラと、前記モータに電気的に接続される回路基板と、前記モータ、前記インペラ、および前記回路基板を収容するケーシングと、を有する。前記インペラは、前記ロータに固定される筒状のボス部と、前記ボス部の径方向外側に周方向に間隔を隔てて配置され、径方向外側へ向かって延びる複数の羽根部と、複数の前記羽根部の軸方向上側を連結する環状の上シュラウドと、複数の前記羽根部の軸方向下側を連結する環状の下シュラウドと、を有する。前記ケーシングは、前記インペラの軸方向下側に配置される下ケーシングを有する。前記下ケーシングは、前記回路基板を収容する基板収容部と、前記羽根部の下端面、および前記回路基板の上面と軸方向に対向するカバー部材と、を有する。【選択図】図２
2019082115.tif 000002
【特許請求の範囲】
【請求項１】
上下に延びる中心軸を中心として回転するロータを有するモータと、
前記ロータに固定され、前記ロータと共に回転するインペラと、
前記モータに電気的に接続される回路基板と、
前記モータ、前記インペラ、および前記回路基板を収容するケーシングと、
を有する遠心ファンであって、
前記インペラは、
前記ロータに固定される筒状のボス部と、
前記ボス部の径方向外側に周方向に間隔を隔てて配置され、径方向外側へ向かって延びる複数の羽根部と、
複数の前記羽根部の軸方向上側の少なくとも一部を連結する環状の上シュラウドと、
複数の前記羽根部の軸方向下側の少なくとも一部を連結する環状の下シュラウドと、
を有し、
前記ケーシングは、前記インペラの軸方向下側に配置される下ケーシングを有し、
前記下ケーシングは、
軸方向下側に凹み、前記回路基板を収容する基板収容部と、
前記羽根部の下端面の少なくとも一部、および前記回路基板の上面の少なくとも一部と軸方向に対向するカバー部材と、
を有する、遠心ファン。
【請求項２】
前記下ケーシングは、前記基板収容部の外周縁から径方向外側に延びるフランジ部を有し、
前記カバー部材の一部は、前記フランジ部に固定される、請求項１に記載の遠心ファン。
【請求項３】
前記カバー部材の径方向内端は、前記下シュラウドの径方向外端よりも径方向内側に位置し、
前記カバー部材の上面は、前記下シュラウドの下面と軸方向に対向する、請求項１または２に記載の遠心ファン。
【請求項４】
前記カバー部材の径方向内側の端面は、前記下シュラウドの径方向外側の端面と径方向に対向する、請求項１または２に記載の遠心ファン。
【請求項５】
前記下シュラウドは、径方向内側から外側に向かって軸方向下側に傾斜する傾斜部を有する、請求項１から４のいずれか１項に記載の遠心ファン。
【請求項６】
前記下シュラウドは、前記傾斜部の径方向外側に連続し、軸方向と垂直な平面に沿って拡がる平坦部を有する、請求項５に記載の遠心ファン。
【請求項７】
前記下シュラウドの径方向外端が、前記上シュラウドの径方向内端と径方向において同じ位置、若しくは前記上シュラウドの径方向内端よりも径方向内側に位置する、請求項１から６のいずれか１項に記載の遠心ファン。
【請求項８】
前記基板収容部の内周面と前記回路基板の径方向外端とは第１間隙を隔てて対向し、
前記カバー部材の下面と、前記回路基板の上面とは第２間隔を隔てて対向し、
前記カバー部材の軸方向上側の空間は、前記第１間隙および前記第２間隙を介して前記回路基板の軸方向下側に位置する前記基板収容部内の空間と通じている、請求項１から７のいずれか１項に記載の遠心ファン。
【請求項９】
前記ケーシングは、前記インペラの軸方向上側に配置される上ケーシングを有し、
前記上ケーシングは、前記インペラの径方向中央部に対向する吸気口を有する、請求項１から８のいずれか１項に記載の遠心ファン。
【発明の詳細な説明】
【技術分野】
【０００１】
本発明は、遠心ファンに関する。
【背景技術】
【０００２】
特開２０１６−１０６１９７号公報には、遠心ファンが開示される。当該遠心ファンは、空気の吸込み口が形成された上ケーシングと下ケーシングとの間に円周上に配列された複数の羽根を有する羽根車が収納されている構造を有している。遠心ファンは、羽根車の回転に伴って、開口部を通して導入した空気を、羽根車の側方に排出させる。下ケーシングは、金属板製であって、下方に窪む凹部を有している。凹部の底面には、モータが取り付けられている。モータのステータの一部とモータの駆動回路が搭載されている回路基板とは、凹部の内部に収納されている。凹部には、モータを回転させるための電力を供給するための手段が通る孔部が設けられている。
【先行技術文献】
【特許文献】
【０００３】
【特許文献１】特開２０１６−１０６１９７号公報
【発明の概要】
【発明が解決しようとする課題】
【０００４】
インペラの羽根部が上シュラウドおよび下シュラウドで挟み込まれた構成では、インペラを単一の部材で成形する場合に金型の横スライド機構が必要となり、金型構造が複雑化する。吸気口付近にアンダーカット部分を設けられないという制約が生じる。一方、インペラを２部材で作る場合は、単一の部材で成形する場合に問題となる形状的な問題は解決可能である。しかし、金型が２面必要であること、２部材を締結する溶着等の工法が必要となることから製造の難易度が高くなる。従って、インペラの構造を、金型を上下に抜くことのできる構造として、単一の部材で成形することが好ましい。
【０００５】
一方、高出力モータにおいては使用する電子部品も大型化するため、電子部品の大型化に合わせて回路基板を大きくしたいという要求がある。特開２０１６−１０６１９７号公報の構成で回路基板を大きくする場合、回路基板を収納する凹部を大きくする必要がある。その結果、凹部の周縁部とインペラとの間にスペースが生じてしまい、下ケーシングが有していた導風機能が失われてしまう。以上より、回路基板を大きくする場合に静圧特性、風量特性、および騒音特性が低下する可能性がある。
【０００６】
この対策として、インペラの下シュラウドを径方向外側に延長することにより、凹部の周縁部とインペラとの間のスペースを埋めることも考えられる。しかし、この方法では上シュラウドと下シュラウドにアンダーカット部分が発生し、金型構造が複雑化するという問題がある。また、羽根部の高さが短くなり、薄型遠心ファンにおいて風量が低下する虞がある。
【０００７】
本発明は、薄型化に適した構成で、回路基板を大きくしたときの静圧特性及び風量特性が優れ、かつ騒音も小さい遠心ファンを提供することを目的とする。
【課題を解決するための手段】
【０００８】
本発明の例示的な遠心ファンは、上下に延びる中心軸を中心として回転するロータを有するモータと、前記ロータに固定され、前記ロータと共に回転するインペラと、前記モータに電気的に接続される回路基板と、前記モータ、前記インペラ、および前記回路基板を収容するケーシングと、を有する。前記インペラは、前記ロータに固定される筒状のボス部と、前記ボス部の径方向外側に周方向に間隔を隔てて配置され、径方向外側へ向かって延びる複数の羽根部と、複数の前記羽根部の軸方向上側の少なくとも一部を連結する環状の上シュラウドと、複数の前記羽根部の軸方向下側の少なくとも一部を連結する環状の下シュラウドと、を有する。前記ケーシングは、前記インペラの軸方向下側に配置される下ケーシングを有する。前記下ケーシングは、軸方向下側に凹み、前記回路基板を収容する基板収容部と、前記羽根部の下端面の少なくとも一部、および前記回路基板の上面の少なくとも一部と軸方向に対向するカバー部材と、を有する。
【発明の効果】
【０００９】
例示的な本発明によれば、遠心ファンの薄型化に適した技術を提供することができる。
【図面の簡単な説明】
【００１０】
【図１】図１は、本発明の実施形態に係る遠心ファンの全体構成を示す外観斜視図である。
【図２】図２は、本発明の実施形態に係る遠心ファンの垂直断面図である。
【図３】図３は、遠心ファンから上ケーシング、インペラ、およびカバー部材を取り外した状態を示す斜視図である。
【図４】図４は、カバー部材を上側から見た概略平面図である。
【図５】図５は、インペラを上側から見た斜視図である。
【図６】図６は、インペラを下側から見た斜視図である。
【図７】図７は、本発明の実施形態に係る遠心ファンの排気口周辺の部分断面図である。
【図８】図８は、図７におけるインペラの上シュラウドおよび下シュラウド付近の拡大図である。
【図９】図９は、変形例の遠心ファンを説明するための図である。
【発明を実施するための形態】
【００１１】
以下、本発明の例示的な実施形態について、図面を参照しながら詳細に説明する。なお、本明細書では、図２に示す遠心ファン１００が有するモータ３０の中心軸Ｐに平行な方向を「軸方向」、中心軸Ｐと直交する方向を「径方向」、中心軸Ｐを中心とする円弧に沿う方向を「周方向」とそれぞれ称する。また、本明細書では、軸方向を上下方向とし、インペラ１０側を上方向、モータ３０側を下方向として各部の形状や位置関係を説明する。ただし、この上下方向の定義により、本発明に係る遠心ファン１００の使用時の向きを限定する意図はない。
【００１２】
また、本願において「平行な方向」とは、略平行な方向も含む。また、本願において「直交する方向」とは、略直交する方向も含む。
【００１３】
＜１．遠心ファンの構成＞
図１は、本発明の実施形態に係る遠心ファン１００の全体構成を示す外観斜視図である。図２は、本発明の実施形態に係る遠心ファン１００の垂直断面図である。図３は、遠心ファン１００から上ケーシング２、インペラ１０、およびカバー部材６を取り外した状態を示す斜視図である。図１および図２に示すように、遠心ファン１００は、ケーシング１と、インペラ１０と、モータ３０と、回路基板４０と、を有する。
【００１４】
ケーシング１は、インペラ１０と、モータ３０と、回路基板４０とを収容する。ケーシング１は、上ケーシング２と下ケーシング３とを有する。上ケーシング２と下ケーシング３とは、例えば樹脂で構成される。ただし、上ケーシング２と下ケーシング３とは、例えば金属等の樹脂以外の素材で構成されてよい。上ケーシング２と下ケーシング３とは、同じ素材で構成されてもよいし、異なる素材で構成されてもよい。また、遠心ファン１００は、上ケーシング２を有しない構成であってもよい。
【００１５】
上ケーシング２は、インペラ１０の軸方向上側に配置される。上ケーシング２は、インペラ１０の径方向中央部に対向する吸気口２ａを有する。詳細には、上ケーシング２は、円筒状の部分の外周に４つの角部が組み合わされた矩形筒状である。吸気口２ａは円形である。ただし、上ケーシング２は、円筒状等の他の形状であってもよい。吸気口２ａの形状も円形以外であってもよい。上ケーシング２が設けられることによって、後述の上シュラウド１５周辺において乱流が発生することを抑制でき、遠心ファン１００は遠心方向に効率良く空気を送り出すことができる。
【００１６】
下ケーシング３は、インペラ１０の軸方向下側に配置される。下ケーシング３は、軸方向からの平面視において、矩形状であり、上ケーシング２とほぼ同じサイズである。下ケーシング３は、基板収容部４とカバー部材６とを有する。下ケーシング３は、さらにフランジ部５を有する。
【００１７】
基板収容部４は、軸方向下側に凹み、回路基板４０を収容する。本実施形態では、基板収容部４は回路基板４０と同一の形状であって、回路基板４０よりも径方向に僅かに大きい。ただし、基板収容部４の形状は回路基板４０の形状と同一でなくてもよい。基板収容部４の径方向中央部にモータ３０が位置し、回路基板４０は、モータ３０に対して、一部が径方向外側に突出する。
【００１８】
フランジ部５は、基板収容部４の外周縁から径方向外側に延びる。カバー部材６の一部は、フランジ部５に固定される。図４は、カバー部材６を上側から見た概略平面図である。図２および図４に示すように、カバー部材６は矩形板状であり、中央部に円形の開口部６ａを有する。開口部６ａの形状は、円形に限らず、矩形等の他の形状であってよい。また、本実施形態では、カバー部材６は、軸方向の厚みが変化する段差部６ｂを有し、段差部６ｂより径方向内側の厚みが、段差部６ｂより径方向外側の厚みに比べて薄くなっている。カバー部材６はフランジ部５の上に配置される。カバー部材６の段差部６ｂより径方向外側の部分がフランジ部５に接触し、当該部分がフランジ部５に固定される。フランジ部５によってカバー部材６を固定する領域を十分に確保することができ、カバー部材６を強固に固定することができる。
【００１９】
なお、カバー部材６のフランジ部５に対する固定方法は特に限定されない。カバー部材６は、フランジ部５に対して、例えば、ねじを用いて固定されてもよいし、接着剤を用いて固定されてもよい。本実施形態では、カバー部材６は、上ケーシング２と共にねじ（不図示）によってフランジ部５に固定される。ただし、カバー部材６は、上ケーシング２とは別に、ねじによってフランジ部５に固定されてもよい。また、カバー部材６は、段差部６ｂを有さず、平板状であってよい。また、カバー部材６は、例えば樹脂または金属によって構成される。カバー部材６は、基板収容部４およびフランジ部５を構成する素材と同じ素材で構成されてよい。さらに、本実施形態では、カバー部材６の径方向外端は、フランジ部５の径方向外端と同じ位置である。ただし、カバー部材６の径方向外端は、フランジ部５の径方向外端より径方向内側に位置してもよく、またはフランジ部５の径方向外端より径方向外側に位置してもよい。
【００２０】
モータ３０はロータ３２を有する。モータ３０は、さらに、ステータ３１と、シャフト３３と、軸受部３４と、軸受保持部３５とを有する。
【００２１】
ロータ３２は、上下方向に延びる中心軸Ｐを中心として回転する。ロータ３２は、ステータ３１の上側であって径方向外側に配置される。ロータ３２は、下方向に開口するカップ形状である。ロータ３２の径方向外側にはインペラ１０が配置され、インペラ１０はロータ３２に固定される。ロータ３２の径方向内側にはシャフト３３が配置され、シャフト３３はロータ３２に固定される。ロータ３２の内周面にはロータマグネット３６が固定される。本実施形態では、ロータマグネット３６は単一の環状マグネットである。ロータマグネット３６の径方向内側の面には、Ｎ極とＳ極とが周方向に交互に着磁される。単一の環状マグネットに替えて、複数のマグネットがロータ３２の内周面に配置されてもよい。
【００２２】
シャフト３３は、中心軸Ｐに沿って配置された柱状の部材である。シャフト３３の材料には、例えば、ステンレス等の金属が用いられる。シャフト３３の上端部は、上側の軸受部３４よりも上方に位置する。シャフト３３の上端部は、ロータ３２の中心軸Ｐに沿って軸方向に貫通するロータ孔に通され、ロータ３２に固定される。
【００２３】
軸受部３４は、中心軸Ｐを中心としてシャフト３３を回転可能に支持する。本実施形態では、軸受部３４の数は２つであり、２つの軸受部３４は上下に並ぶ。２つの軸受部３４はボールベアリングで構成される。軸受部３４の数および種類は、適宜変更されてよい。
【００２４】
軸受保持部３５は、径方向外側にステータ３１を支持するとともに、径方向内側に軸受部３４を支持する。軸受保持部３５の材料には、例えば、ステンレス、真鍮等の金属が用いられる。ただし、軸受保持部３５の材料は、金属に限らず、樹脂であってもよい。軸受保持部３５は、中心軸Ｐの周囲において、軸方向に円筒状に延びる。軸受保持部３５の下端部は、下ケーシング３に設けられた中心軸Ｐを中心とする円孔に挿入され、下ケーシング３に対して固定される。
【００２５】
ステータ３１は、駆動電流に応じて磁束を発生させる電機子である。ステータ３１は、ステータコア、インシュレータ、およびコイルを有する。
【００２６】
ステータコアは、磁性体である。ステータコアは、例えば電磁鋼板を積層して構成される。ステータコアは、円環状のコアバックと、複数のティースとを有する。コアバックは、軸受保持部３５の外周面に固定される。複数のティースは、コアバックから径方向外側へ向けて突出する。インシュレータは、絶縁体である。インシュレータの材料には、例えば樹脂が用いられる。インシュレータは、ステータコアの少なくとも一部を覆う。コイルは、インシュレータを介してティースに導線を巻くことによって構成される。
【００２７】
ステータ３１に駆動電流を供給することによって、ロータマグネット３６とステータ３１との間で回転トルクが発生する。これにより、ステータ３１に対してロータ３２が回転し、ロータ３２に固定されたインペラ１０も中心軸Ｐを中心に回転する。なお、図２に例示したモータ３０は、ステータ３１の径方向外側にロータ３２が配置されるアウターロータ型のモータである。ただし、モータ３０は、ステータ３１の径方向内側にロータ３２が配置されるインナーロータ型のモータであってもよい。
【００２８】
回路基板４０は、モータ３０に電気的に接続されている。回路基板４０は、モータ３０の下部側に支持される。回路基板４０は、下ケーシング３の基板収容部４内に配置される。回路基板４０は、下ケーシング３の上側かつステータ３１の下側において、中心軸Ｐに対して略垂直に配置される。回路基板４０は、例えば、インシュレータに対して固定される。回路基板４０には、コイルに駆動電流を供給するための電気回路が搭載される。コイルを構成する導線の端部は、回路基板４０に設けられた端子と、電気的に接続される。
【００２９】
図５は、インペラ１０を上側から見た斜視図である。図６は、インペラ１０を下側から見た斜視図である。インペラ１０は、ロータ３２に固定され、ロータ３２と共に回転する。図５および図６に示すように、インペラ１０は、ボス部１１と、複数の羽根部１３と、上シュラウド１５と、下シュラウド１７と、を有する。本実施形態では、ボス部１１、複数の羽根部１３、上シュラウド１５、および下シュラウド１７は、同一の樹脂材料で形成された単一の部材である。
【００３０】
ボス部１１は、筒状であり、ロータ３２に固定される。本実施形態では、ボス部１１は円筒状であって、モータ３０の上側においてロータ３２の外周面に固定される。ボス部１１は、例えば圧入や接着によってロータ３２に固定される。ボス部１１は、詳細には、軸方向上端に径方向内側に突出する円環状の突出部を有する。当該突出部はロータ３２の上側に位置する。突出部は設けられなくてもよい。突出部は、例えばバランス調整を行う錘部材を配置可能とするために設けられる。
【００３１】
複数の羽根部１３は、ボス部１１の径方向外側に周方向に間隔を隔てて配置され、径方向外側に向かって延びる。本実施形態では、羽根部１３は、径方向において、隙間を介してボス部１１に対向している。ただし、羽根部１３はボス部１１と接してもよい。羽根部１３は、平面視において、遠心ファン１００の回転方向と反対方向へ傾斜しつつ、径方向外側へ向かって放射線状に延びている。なお、羽根部１３の径方向外側へ延びる方向はこの限りではなく、羽根部１３の一部が回転方向と同じ方向に延びてもよく、または回転方向と直交して延びてもよい。また、本実施形態では、複数の羽根部１３は周方向に等間隔に配置されているが、必ずしも等間隔に配置されなくてもよい。
【００３２】
上シュラウド１５は環状である。本実施形態では、上シュラウド１５は円環状である。上シュラウド１５は、複数の羽根部１３の軸方向上側の少なくとも一部を連結する。本実施形態では、上シュラウド１５は、複数の羽根部１３の径方向外側の一部を連結する。
【００３３】
下シュラウド１７は環状である。本実施形態では、下シュラウド１７は、軸方向下側から上側に向けて先細りの円筒状である。下シュラウド１７は、複数の羽根部１３の軸方向下側の少なくとも一部を連結する。本実施形態では、下シュラウド１５は、複数の羽根部１３の径方向内側の一部を連結する。下シュラウド１７の径方向内端は、ボス部１１に接続される。複数の羽根部１３によって、上シュラウド１５と下シュラウド１７とは連結される。
【００３４】
上ケーシング２の吸気口２ａから吸入された空気は、インペラ１０の回転によってケーシング１内を周方向に旋回した後、上ケーシング２と下ケーシング３との間に設けられた排気口２ｂから排出される。上シュラウド１５および下シュラウド１７は、吸気口２ａからケーシング１内に引き込まれた空気を効率よく排気口２ｂに導くことで遠心ファン１００のファン効率を向上させる。本実施形態では、排気口２ｂはケーシング１の周方向全域に設けられている。ただし、ケーシング１の周方向の一部のみに排気口２ｂを設けてもよい。
【００３５】
＜２．遠心ファンの排気口周辺の構成＞
次に、本実施形態に係る遠心ファン１００の特徴部分である、排気口２ｂ周辺の構成について詳細に説明する。図７は、本発明の実施形態に係る遠心ファン１００の排気口２ｂ周辺の部分断面図である。図８は、図７におけるインペラ１０の上シュラウド１５および下シュラウド１７付近の拡大図である。
【００３６】
図７に示すように、ロータ３２、インペラ１０のボス部１１、および羽根部１３は、径方向に重なるように配置される。ロータ３２の下端面およびボス部１１の下端面は、羽根部１３の下端面１３ａよりも軸方向上側に位置する。さらに、ボス部１１の軸方向高さは、インペラ１０の軸方向高さ内に収められている。これらによって、遠心ファン１００は薄型に構成されている。また、本実施形態では、羽根部１３は、軸方向からの平面視において、一部がフランジ部５と重なる位置まで延びている。このために、インペラ１０の回転によって発生する風量を増大させることができる。
【００３７】
図８に示すように、下シュラウド１７の径方向外端１７ａが、上シュラウド１５ａの径方向内端１５ａと径方向において同じ位置である。これにより、インペラ１０を樹脂により射出成形する際に、金型を上下方向等の一方向に抜くことができる。従って、金型を割り型にしたり、金型にスライド機構を設けたりする必要がなく、金型の構造または製造工程を簡素化することができる。なお、下シュラウド１７の径方向外端１７ａは、上シュラウド１５の径方向内端１５ａよりも径方向内側に位置してもよい。すなわち、下シュラウド１７の径方向外端１７ａが、上シュラウド１５の径方向内端１５ａと径方向において同じ位置、若しくは上シュラウド１５の径方向内端１５ａよりも径方向内側に位置していれば、金型を上下方向等の一方向に抜くことができる。
【００３８】
図７に示すように、カバー部材６は、羽根部１３の下端面１３ａの少なくとも一部、および回路基板４０の上面４０ａの少なくとも一部と軸方向に対向する。本実施形態では、カバー部材６の上面６ｃが、羽根部１３の下端面１３ａのうち、下シュラウド１７より径方向外側に位置する部分と軸方向に対向する。カバー部材６の下面６ｄが、回路基板４０の上面４０ａの径方向外側の部分と軸方向に対向する。これにより、吸気口２ａ、および、ボス部１１の外周面と上シュラウド１５の内周面との隙間から軸方向に流入した空気を、カバー部材６の上面６ｃに沿って遠心方向に導くことができる。本実施形態では、回路基板４０の大型化により、下シュラウド１７の径方向外端１７ａと基板収容部４の内周面４ａとが径方向において離れているにもかかわらず、カバー部材６によって遠心方向に効率良く空気を導くことができる。換言すると、本実施形態によれば、カバー部材６に導風機能を持たせることによって、下シュラウド１７の径方向長さを短くすることができ、インペラ１０の金型構造又は製造工程を簡素化することができる。
【００３９】
図７および図８に示すように、カバー部材６の径方向内端６ｅは、下シュラウド１７の径方向外端１７ａよりも径方向内側に位置する。カバー部材６の上面６ｃは、下シュラウド１７の下面１７ｂと軸方向に対向する。すなわち、カバー部材６と下シュラウド１７とは軸方向に重なる。これによれば、吸気口２ａから下シュラウド１７に沿ってカバー部材６へと流れた空気が、カバー部材６の径方向内端６ｅを通過し難くすることができる。すなわち、本構成によれば、下シュラウド１７からカバー部材６へと流れた空気が、モータ側（径方向内側）へ流れ込むことを抑制することができる。
【００４０】
なお、カバー部材６の上面６ｃは、下シュラウド１７の下面１７ｂと間隙を介して対向することが好ましい。これにより、インペラ１０を円滑に回転させることができる。
【００４１】
本実施形態では、図８に示すように、基板収容部４の内周面４ａと回路基板４０の径方向外端４０ｂとは第１間隙５０を隔てて対向する。また、カバー部材６の下面６ｄと、回路基板４０の上面４０ａとは第２間隔５１を隔てて対向する。カバー部材６の軸方向上側の空間は、第１間隙５０および第２間隙５１を介して回路基板４０の軸方向下側に位置する基板収容部４内の空間と通じている。これにより、回路基板４０の軸方向下側に位置する空間に熱がこもることを防止することができる。すなわち、回路基板４０の下面に、電子部品を配置しやすくなる。なお、本実施形態では、基板収容部４の内周面４ａと回路基板４０の径方向外端４０ｂとは径方向に対向する。カバー部材６の下面６ｄと、回路基板４０の上面４０ａとは軸方向に対向する。また、カバー部材６の下面６ｄと、回路基板４０の上面４０ａとは接触してもよい。すなわち、第２間隙５１は設けられなくてもよい。
【００４２】
図８に示すように、下シュラウド１７は傾斜部１７１を有する。傾斜部１７１は、径方向内側から外側に向かって軸方向下側に傾斜する。詳細には、傾斜部１７１の径方向内端は、ボス部１１の外周面に接続されている。この接続箇所から、傾斜部１７１は斜め下方に延びる。傾斜部１７１は、断面視において、直線状であってもよいが、本実施形態では湾曲している。詳細には、傾斜部１７１は凹状に湾曲している。傾斜部１７１が設けられることによって、吸気口２ａから軸方向に流入した空気が流れる向きを、カバー部材６の上面６ｃに沿う向きに効率良く変更することができる。
【００４３】
図８に示すように、下シュラウド１７は平坦部１７２を有する。平坦部１７２は、傾斜部１７１の径方向外側に連続する。平坦部１７２は、軸方向と垂直な平面に沿って拡がる。詳細には、平坦部１７２は、カバー部材６の上面６ｃと平行である。傾斜部１７１に連続する平坦部１７２が設けられることによって、空気が流れる向きを、カバー部材６の上面６ｃに沿う向きに円滑に変更することができる。なお、平坦部１７２は設けられなくてもよい。
【００４４】
＜３．変形例＞
図９は、変形例の遠心ファン１００Ａを説明するための図である。図９は、図８と同様の拡大断面図である。変形例の遠心ファン１００Ａは、以上に示した実施形態の構成と、カバー部材６Ａとインペラ１０Ａの関係が異なる。なお、カバー部材６Ａは、下ケーシング３Ａのフランジ部５Ａに固定される。回路基板４０Ａは、基板収容部４Ａに収容される。
【００４５】
以上に示した実施形態と同様に、カバー部材６Ａは、羽根部１３Ａの下端面１３ａＡの一部、および回路基板４０Ａの上面４０ａＡの一部と軸方向に対向する。ただし、本変形例では、カバー部材６Ａは、下シュラウド１７Ａの下面１７ｂＡと軸方向に対向しない。本変形例では、カバー部材６Ａの径方向内側の端面６ｅＡが、下シュラウド１７Ａの径方向外側の端面１７ａＡと径方向に対向する。本変形例においても、下シュラウド１７Ａは、傾斜部１７１Ａと平坦部１７２Ａを有する。下シュラウド１７Ａの径方向外側の端面１７ａＡは、平坦部１７２Ａの径方向外側の端面である。
【００４６】
カバー部材６Ａの径方向内側の端面６ｅＡと、下シュラウド１７Ａの径方向外側の端面１７ａＡとは、接触しないことが好ましく、さらに、径方向の間隔が小さいことが好ましい。接触を回避することによって、インペラ１０Ａを円滑に回転することができる。間隔を狭くすることによって、遠心方向とは異なる方向に向かう空気の量を低減できる。カバー部材６Ａの径方向内側の端面６ｅＡと、下シュラウド１７Ａの径方向外側の端面１７ａＡとは、本変形例では平面であるが、曲面であってよい。端面６ｅＡ、１７ａＡが平面である場合、当該平面は軸方向に対して平行であってもよいし、傾いてもよい。
【００４７】
本変形例においても、ボス部１１Ａの外周面と上シュラウド１５Ａの内周面との隙間から軸方向に流入した空気を、カバー部材６Ａの上面６ｃＡに沿って遠心方向に導くことができる。本変形例では、回路基板４０Ａの大型化により、下シュラウド１７Ａの径方向外端１７ａＡと基板収容部４Ａの内周面４ａＡとが径方向において離れているにもかかわらず、カバー部材６Ａによって遠心方向に効率良く空気を導くことができる。換言すると、本変形例によれば、カバー部材６Ａに導風機能を持たせることによって、下シュラウド１７Ａの径方向長さを短くすることができ、インペラ１０Ａの金型構造又は製造工程を簡素化することができる。さらに、本変形例では、軸方向にカバー部材６Ａと下シュラウド１７Ａとが重ならないために、遠心ファン１００Ａの厚みを薄くすることができる。
【００４８】
＜４．留意事項＞
本明細書中に開示されている種々の技術的特徴は、その技術的創作の主旨を逸脱しない範囲で種々の変更を加えることが可能である。また、本明細書中に示される複数の実施形態および変形例は可能な範囲で組み合わせて実施されてよい。
【産業上の利用可能性】
【００４９】
本発明は、例えばレンジフードファン、ダクト用換気扇、熱交換ユニット、印刷装置の用紙吸着等に用いられる遠心ファンに利用することができる。
【符号の説明】
【００５０】
１・・・ケーシング
２・・・上ケーシング
２ａ・・・吸気口
３・・・下ケーシング
４・・・基板収容部
５・・・フランジ部
６・・・カバー部材
１０・・・インペラ
１１・・・ボス部
１３・・・羽根部
１５・・・上シュラウド
１７・・・下シュラウド
３０・・・モータ
３２・・・ロータ
４０・・・回路基板
５０・・・第１間隙
５１・・・第２間隙
１００・・・遠心ファン
１７１・・・傾斜部
１７２・・・平坦部
Ｐ・・・中心軸
【図１】
2019082115.tif 000003
【図２】
2019082115.tif 000004
【図３】
2019082115.tif 000005
【図４】
2019082115.tif 000006
【図５】
2019082115.tif 000007
【図６】
2019082115.tif 000008
【図７】
2019082115.tif 000009
【図８】
2019082115.tif 000010
【図９】
2019082115.tif 000011